(57)【要約】【課題】無機質建材Ｙが浮き上がることなく、これを確実に固定できる無機質建材用固定ネジを提供する。【解決手段】下地材Ｓ上に葺かれる無機質建材Ｙを固定するための無機質建材用固定ネジＡであって、前記無機質建材用固定ネジＡは、先端に形成されたドリル部１と、このドリル部１に連続して形成されたネジ部２と、前記ネジ部２の基端に形成されたネジ頭部３とからなり、前記ドリル部１の長さが、前記無機質建材Ｙ及び下地材Ｓの厚みに加え、更に、前記下地材Ｓの裏面に設けられた下地材用鋼材Ｋの厚みを加えた長さ以上に形成する。【選択図】図１
2007024209.tif 000002
【特許請求の範囲】
【請求項１】
下地材上に葺かれる無機質建材を固定するための無機質建材用固定ネジであって、
前記無機質建材用固定ネジは、先端に形成されたドリル部と、このドリル部に連続して形成されたネジ部と、前記ネジ部の基端に形成されたネジ頭部とからなり、
前記ドリル部の長さが、前記無機質建材及び下地材の厚みに加え、更に、前記下地材の裏面に設けられた下地材用鋼材の厚みを加えた長さ以上に形成されていることを特徴とする無機質建材用固定ネジ。
【請求項２】
請求項１において、
ドリル部の長さが、５ｍｍ〜２０ｍｍに形成されていることを特徴とする無機質建材用固定ネジ。
【発明の詳細な説明】
【技術分野】
【０００１】
本発明は、屋根の下地材上に葺かれる無機質建材を固定するための無機質建材用固定ネジに関する。
【背景技術】
【０００２】
図２（ａ）〜（ｃ）は、従来のドリルネジを用いて無機質建材Ｙを固定する施工状態を示した施工動作図である。
【０００３】
従来、野地板、コンパネ等よりなる屋根や壁等の下地材Ｓ上に葺かれる無機質建材Ｙを固定するためのドリルネジ１００として、先端に形成されたドリル部１０１と、このドリル部１０１に連続して形成されたネジ部１０２と、ネジ部１０２の基端に形成されたネジ頭部１０３と、からなるものがあった（例えば、特許文献１参照。）。
【０００４】
このドリルネジ１００は、ドリル部１０１の長さが、無機質建材Ｙの厚み程度に形成されており、このドリル部１０１を無機質建材Ｙの適所に位置決めし、ネジ頭部１０３をドライバー（不図示）等で回転させると、ドリル部１０１が先ず無機質建材Ｙを切削しながらこれを貫通し、更に、その下位に配置された下地材Ｓを貫通しながら突き進み、やがて、ネジ頭部１０３が無機質建材Ｙの上面に接合されると、それ以上の螺合が停止され、下地材Ｓ上に葺かれた無機質建材Ｙをドリルネジ１００で固定するものであった。
【特許文献１】特開２００２−２５７１２２号
【発明の開示】
【発明が解決しようとする課題】
【０００５】
図３（ａ）〜（ｃ）は、従来のドリルネジ１００を用いて無機質建材Ｙを固定する他の施工状態を示した施工動作図である。
【０００６】
しかしながら、下地材Ｓの下面には、これを支持するための下地材用鋼材Ｋが設置されていることが多い。
【０００７】
このような下地材用鋼材Ｋが設置されている場合に、ドリルネジ１００を上記の要領で施工すると、下地材Ｓを貫通した際、ドリル部１０１の先端が、下地材用鋼材Ｋに当接するが、このとき、ネジ部１０２が無機質建材Ｙに螺合されているため、ドリル部１０１の先端が下地材用鋼材Ｋを貫通せずに押し返されて、無機質建材Ｙが浮き上がってしまうという問題があった。
【０００８】
もっとも、この無機質建材Ｙの押し上げを押え付けながらドリルネジ１００を下地材用鋼材Ｋに捩じ込むことも考えられるが、薄板状に形成された無機質建材Ｙに荷重をかけると破損してしまう危険があるため、大きな荷重をかけることはできない。
【０００９】
本発明は、かかる課題を解決することを目的とするもので、無機質建材Ｙが浮き上がることなく、これを確実に固定できる無機質建材用固定ネジを提供する。
【課題を解決するための手段】
【００１０】
上記目的を達成するため、
請求項１に係る無機質建材用固定ネジは、下地材上に葺かれる無機質建材を固定するための無機質建材用固定ネジであって、前記無機質建材用固定ネジは、先端に形成されたドリル部と、このドリル部に連続して形成されたネジ部と、前記ネジ部の基端に形成されたネジ頭部とからなり、前記ドリル部の長さが、前記無機質建材及び下地材の厚みに加え、更に、前記下地材の裏面に設けられた下地材用鋼材の厚みを加えた長さ以上に形成されていることを特徴とする。
【００１１】
請求項２に係る無機質建材用固定ネジは、請求項１において、ドリル部の長さが、５ｍｍ〜２０ｍｍに形成されていることを特徴とする。
【発明の効果】
【００１２】
本発明によれば、次のような効果がある。
請求項１に係る無機質建材用固定ネジによれば、ドリル部の長さが、無機質建材、下地材、下地材用鋼材の全ての厚みを加えた長さ以上に形成しているので、ドリル部が突き進んで、下地材用鋼材に接合したときでも、ネジ部が無機質屋根材及び下地材に未だ螺合されていないため、無機質建材が浮き上がることなく、ドリル部の先端が下地材用鋼材を貫通して、無機質屋根材を簡単且つ確実に固定できる。
【００１３】
請求項２に係る無機質建材用固定ネジによれば、ドリル部の長さが、５ｍｍ〜２０ｍｍに形成されているので、請求項１の効果を確実且つ効果的に発揮できる。
【発明を実施するための最良の形態】
【００１４】
以下、本発明に係る無機質建材用固定ネジＡを図面とともに説明する。
【実施例１】
【００１５】
図１（ａ）〜（ｃ）は、本発明に係る無機質建材用固定ネジＡを用いて無機質建材Ｙを固定する施工状態を示した施工動作図である。
【００１６】
この無機質建材用固定ネジＡは、下地材Ｓ上に葺かれる無機質建材Ｙを固定するためのものであって、先端に形成されたドリル部１と、このドリル部１に連続して形成されたネジ部２と、ネジ部２の基端に形成されたネジ頭部３とからなり、ドリル部１の長さが、無機質建材Ｙ及び下地材Ｓの厚みに加え、更に、下地材Ｓの裏面に設けられた下地材用鋼材Ｋの厚みを加えた長さ以上に形成されている点に特徴がある。
【００１７】
本実施例では、ドリル部１の長さを、５ｍｍ〜２０ｍｍ、好ましくは、６ｍｍ〜１０ｍｍに形成してなり、無機質建材Ｙ、下地材Ｓ、下地材用鋼材Ｋの厚みに限定している。
【００１８】
すなわち、ドリル部１の長さが、５ｍｍ未満の場合には、ドリル部１の先端が下地材用鋼材Ｋを貫通せずに押し返されることがあり、又、２０ｍｍを超えた場合には、ドリル部１の切削、貫通に手間がかかり、効率的ではない。
【００１９】
このように形成された無機質建材用固定ネジＡを、無機質建材Ｙの適所に位置決めし、ネジ頭部３をドライバー（不図示）等で回転させると、ドリル部１が先ず無機質建材Ｙを切削しながらこれを貫通し、更に、その下位に配置された下地材Ｓを貫通しながら突き進み、やがて、ドリル部１の先端が、下地材用鋼材Ｋに当接する〔図１（ａ）、（ｂ）参照。〕。
【００２０】
このとき、ネジ部２は、未だ無機質建材Ｙに螺合されていないため、無機質建材Ｙを浮き上がせることなく、ドリル部１の先端が下地材用鋼材Ｋを更に切削し、確実に貫通する。
【００２１】
そして、この下地材用鋼材Ｋを貫通した後、ネジ部２は無機質建材Ｙ、下地材Ｓ、下地材用鋼材Ｋに順次螺合され、下地材Ｓ上に葺かれた無機質建材Ｙを確実に固定できるのである〔図１（ｃ）参照。〕。
【００２２】
このように、本発明に係る無機質建材用固定ネジＡによれば、ドリル部１の長さが、無機質建材Ｙ、下地材Ｓ、下地材用鋼材Ｋの全ての厚みを加えた長さ以上に形成しているので、ドリル部１が突き進んで、下地材用鋼材Ｋに接合したときでも、ネジ部２が無機質屋根材Ｙ及び下地材Ｓに未だ螺合されていないため、無機質建材Ｙを浮き上がせることなく、ドリル部１の先端が下地材用鋼材Ｋを貫通することができ、無機質屋根材Ｙを軽い螺合力で確実に固定できる。
【図面の簡単な説明】
【００２３】
【図１】（ａ）〜（ｃ）は、本発明に係る無機質建材用固定ネジＡを用いて無機質建材Ｙを固定する施工状態を示した施工動作図である。
【図２】（ａ）〜（ｃ）は、従来のドリルネジを用いて無機質建材Ｙを固定する施工状態を示した施工動作図である。
【図３】（ａ）〜（ｃ）は、従来のドリルネジを用いて無機質建材Ｙを固定する他の施工状態を示した施工動作図である。
【符号の説明】
【００２４】
Ａ      無機質建材用固定ネジ
Ｋ      下地材用鋼材
Ｓ      下地材
Ｙ      無機質建材
１      ドリル部
２      ネジ部
３      ネジ頭部
【図１】
2007024209.tif 000003
【図２】
2007024209.tif 000004
【図３】
2007024209.tif 000005